(57)【要約】      （修正有）【課題】容易に刃を砥ぐことができるシャープナ付き包丁を提供する。【解決手段】包丁刃体とハンドル部１１からなる包丁１において、ハンドル部１１の基端辺に形成した切欠凹部１２と、切欠凹部１２に接続させてハンドル部１１に形成した略四角筒状の係合中空部１３と、係合中空部１３に挿脱自在に係合する略四角柱状のシャープナ係合部２１と、シャープナ係合部２１が延設されたシャープナ本体部２２と、シャープナ本体部２２の巾方向に刻設した凹溝２３と、凹溝２３の前後に任意の設定刃角度に夫々傾斜させてＶ字状に装着した夫々の平板状の砥石２４とを備え、少なくとも片方の砥石２４の裏側にラバークッション２５を積層させた。【選択図】図１
0003175209.tif 000002
【実用新案登録請求の範囲】
【請求項１】
長手方向の一辺に刃先を設けた包丁刃体と、該包丁刃体の刃体基部を挿通固定したハンドル部とから成る包丁において、前記ハンドル部の基端辺に両側側面を略コ字状に形成した切欠凹部と、該切欠凹部の先端側に接続させて前記ハンドル部に形成した略四角筒状の係合中空部と、該係合中空部に挿脱自在に係合する略四角柱状のシャープナ係合部と、該シャープナ係合部が延設された両側の側面と基端面とを前記ハンドル部から露出させるシャープナ本体部と、該シャープナ本体部の巾方向に刻設した凹溝と、該凹溝の前後に任意の設定刃角度に夫々傾斜させてＶ字状に装着した夫々の平板状の砥石とを備え、少なくとも片方の前記砥石の裏側にラバークッションを積層させたことを特徴とするシャープナ付き包丁。
【請求項２】
長手方向の一辺に刃先を設けた包丁刃体と、該包丁刃体の刃体基部を挿通固定したハンドル部とから成る包丁において、前記ハンドル部の基端辺に両側側面を略コ字状に形成した切欠凹部と、該切欠凹部の先端側に接続させて前記ハンドル部に形成した略四角筒状の係合中空部と、該係合中空部に挿脱自在に係合する略四角柱状のシャープナ係合部と、該シャープナ係合部が延設された両側の側面と基端面とを前記ハンドル部から露出させるシャープナ本体部と、該シャープナ本体部の巾方向に平行させて刻設した２つの凹溝と、該片側の凹溝の前後に任意の設定刃角度に夫々傾斜させてＶ字状に装着した夫々の平板状の粗研磨砥石と、該他側の凹溝の前後に任意の設定刃角度に夫々傾斜させてＶ字状に装着した夫々の平板状の仕上げ研磨砥石とを備え、少なくとも片方の前記砥粗研磨砥石と少なくとも片方の前記仕上げ研磨砥石の裏側に夫々ラバークッションを積層させたことを特徴とするシャープナ付き包丁。
【考案の詳細な説明】
【技術分野】
【０００１】
本考案は、シャープナ付き包丁に関するものであり、更に詳細には、切り味が落ちて砥ぐことが必要となった時に、使用している包丁を砥ぐことのできるシャープナを即座に取り出せるシャープナ付き包丁に関するものである。
【背景技術】
【０００２】
従来、包丁は一般家庭、飲食店等において汎用されており、その種類や材質も多岐にわたって開発されて使用されており、夫々の生活や仕事に役立っているが、包丁刃体の材質によっては好適に砥ぐための砥石が違うものも多く一種類の砥石で砥ぐことが困難となっている。
【０００３】
つまり、一般的な鉄製やステンレス製の包丁は硬度が比較的低く経時の使用により刃先の鋭利性が低下してしまう為、天然砥石や人工砥石を用いて砥いで鋭利性を復活させているが、刃先を超硬度の素材で形成することにより鋭利性が長期にわたり維持できるため、セラミックやチタン、又は、チタン合金のような超硬度の素材で形成したものもあるが、鋭利性が失われた時に、一般の天然砥石や人工砥石では砥げないので専用砥石を必要とするために、メーカーや専門業者に依頼して砥いでいる実情であり、また、包丁の購入時に添付されていても頻繁に用いるものでないので紛失や所在が解らなくなることがある。
【０００４】
例えば、本願出願人が先に開示した、刃体１を反転させることにより収納ハンドル３に刃体１を収納させる折りたたみ式カッターであって、収納ハンドル３へ刃体１の収納時の刃先１ａの通過位置に砥石板４を弾性部材５を介して傾斜させて装着し、刃体１の収納時に刃先１ａと砥石板４と接触摺動させて、砥石板４による刃先１ａの刃先砥ぎを半自動的に且つ容易にしたものであり、更に、砥石板４と刃先１ａとの接触角度を変更する又は非接触状態にする砥石板角度変更装置６を備えたもの（特許文献１参照）や、把持部３に形成した切欠ポケット３ａと、切欠ポケット３ａに埋設するポケット用スリーブ４と、ダイヤモンドシャープナ５ａと、ダイヤモンドシャープナ５ａを挿通固定し着脱用指掛け部５ｃを設けたシャープナ本体５と、を備え、切欠ポケット３ａにポケット用スリーブ４を埋設し、ポケット用スリーブ４にシャープナ本体５を着脱用指掛け部５ｃを両側面に露出させて挿脱可能に収納すると共に、包丁刃体はＨＶ値１０００以上の超硬度のセラミック又は炭化タングステンを用いるもの（特許文献２参照）や、カッター本体に組み込まれているスリーブ部分の先端に、研磨剤及び砥石を付けることにより、使用時の刃の出し入れによって刃を研磨する。従って、常に刃の切れ味が良い状態を保つことが可能になる。また、本体後部に付いている、従来の刃を折るための付属品に、研磨剤及び砥石を組み込まれた溝を作ることにより、この５の部分を刃に直接あてて、さらに研磨することが出来、刃の寿命を長持ちさせるので、経済的に役立つもの（特許文献３参照）や、刃体１と、この刃体１を支持する柄２と、この柄２に着脱自在な砥石３と、を備えた刃物Ｘであって、柄２の外面のうち、刃体１の厚み方向に間隔を隔てた一対の側面２１ａ，２１ｂの少なくとも一方の全体または一部は、刃体１の厚み方向中心線Ｌに対して傾斜した平面状の傾斜面とされており、砥石３を用いて刃体１の刃先部１３を研ぐときには、上記傾斜面が所望の台５の表面５１に接触するように柄２を台５上に載置することによって刃体１がその刀背１４から刃先１５に向かうにつれて上方に変位する斜めの姿勢に設定可能とされているもの（特許文献４参照）や、が開示されている。
【特許文献１】特開２００７−１９５７３４号公報
【特許文献２】特開２００８−１７３１５５号公報
【特許文献３】登録実用新案第３０２１７１０号公報
【特許文献４】特開２００４−２２９７４４号公報
【考案の開示】
【考案が解決しようとする課題】
【０００５】
然し乍ら、特許文献１に記載のものは、刃体１を反転させることにより収納ハンドル３に刃体１を収納させる折りたたみ式カッターであって、折り畳む度に刃体１が砥石板４により自動的に砥がれるものであるが、刃体１の延命を図るだけで任意に砥ぐことはできなく、更に、特許文献２に記載のものは、把持部３に形成した切欠ポケット３ａにダイヤモンドシャープナ本体５を挿脱可能に収納するものであるが、包丁刃体をＨＶ値１０００以上の超硬度のセラミック又は炭化タングステンを用いたもので、特殊材料を用いた刃体に用いられるもので、また、ダイヤモンドシャープナは平板状のものであり、砥ぐのに熟練を有するものであり、更には、特許文献３に記載のものは、カッターの刃を折るための付属品に、研磨剤及び砥石を組み込まれた溝を作って、刃を研磨するものであるが、その構造の記載はなく、刃の角度と研磨する好適な角度を一致させるのが困難であり、更に、特許文献４に記載のものは、柄２に着脱自在な砥石３を備えているもので有るが、柄２の側面の角度と刃先１５の角度を一致させて制作しなければ成らず、作成に困難性を有しているものである。
【課題を解決するための手段】
【０００６】
前記課題に鑑み、鋭意研鑽の結果、刃先を設けた包丁刃体と、包丁刃体の刃体基部を挿通固定したハンドル部とから成る包丁において、ハンドル部の基端辺に両側側面を略コ字状に形成した切欠凹部と、切欠凹部の先端側に接続させてハンドル部に形成した略四角筒状の係合中空部と、係合中空部に挿脱自在に係合する略四角柱状のシャープナ係合部と、シャープナ係合部が延設された両側の側面と基端面とをハンドル部から露出させるシャープナ本体部と、シャープナ本体部の巾方向に刻設した凹溝と、凹溝の前後に任意の設定刃角度に夫々傾斜させてＶ字状に装着した夫々の平板状の砥石とを備え、少なくとも片方の砥石の裏側にラバークッションを積層させたものであり、更には、シャープナ本体部の巾方向に平行させて刻設した２つの凹溝と、片側の凹溝の前後に任意の設定刃角度に夫々傾斜させてＶ字状に装着した夫々の平板状の粗研磨砥石と、他側の凹溝の前後に任意の設定刃角度に夫々傾斜させてＶ字状に装着した夫々の平板状の仕上げ研磨砥石とを備え、少なくとも片方の砥粗研磨砥石と少なくとも片方の仕上げ研磨砥石の裏側に夫々ラバークッションを積層させたものである。
【考案の効果】
【０００７】
本考案のシャープナ付き包丁は、包丁刃体の材質に合わせて好適に研ぐことのできるシャープナが、ハンドル部に引き抜くための着脱用の指掛け部を露出させて埋設されているために、必要に応じて直ぐに引き抜いて砥ぐことが可能であり、更に、シャープナ本体部の巾方向に刻設した凹溝と、凹溝の前後に任意の設定刃角度に夫々傾斜させてＶ字状に装着した夫々の砥石とを備えているので、シャープナ係合部を持って凹溝に刃先を挿通させて前後に摺動させるだけで砥ぐことができ、更には、少なくとも片方の砥石、又は、少なくとも片方の砥粗研磨砥石と少なくとも片方の仕上げ研磨砥石の裏側に夫々ラバークッションを積層させているもので、砥ぐ時に加える負荷や角度のアンバランスをラバークッションが吸収してくれるので、熟練する必要が無く、誰でも容易に理想の刃体の砥ぎを可能とするもので、極めて有効的で実用性の高い考案である。
【考案を実施するための最良の形態】
【０００８】
以下、本考案のシャープナ付き包丁の実施例の図面を用いて詳細に説明すると、図１は本考案のシャープナ付き包丁の実施例の側面図であり、図２は本考案のシャープナ付き包丁の実施例のシャープナの斜視図であり、図３は本考案のシャープナ付き包丁の次実施例の側面図である。
【０００９】
本考案は、シャープナ付き包丁に関するものであり、更に詳細には、切り味が落ちて砥ぐことが必要となった時に、使用している包丁を砥ぐことのできるシャープナを即座に取り出せるシャープナ付き包丁に関するものであり、請求項１に記載のシャープナ付き包丁は、長手方向の一辺に刃先を設けた包丁刃体（図示しない）と、該包丁刃体の刃体基部を挿通固定したハンドル部１１とから成る包丁１において、前記ハンドル部１１の基端辺に両側側面を略コ字状に形成した切欠凹部１２と、該切欠凹部１２の先端側に接続させて前記ハンドル部１１に形成した略四角筒状の係合中空部１３と、該係合中空部１３に挿脱自在に係合する略四角柱状のシャープナ係合部２１と、該シャープナ係合部２１が延設された両側の側面と基端面とを前記ハンドル部１１から露出させるシャープナ本体部２２と、該シャープナ本体部２２の巾方向に刻設した凹溝２３と、該凹溝２３の前後に任意の設定刃角度に夫々傾斜させてＶ字状に装着した夫々の平板状の砥石２４とを備え、少なくとも片方の前記砥石２４の裏側にラバークッション２５を積層させたことを特徴とするものである。
【００１０】
更に、請求項２に記載のシャープナ付き包丁は、長手方向の一辺に刃先を設けた包丁刃体と、該包丁刃体の刃体基部を挿通固定したハンドル部１１とから成る包丁１において、前記ハンドル部１１の基端辺に両側側面を略コ字状に形成した切欠凹部１２と、該切欠凹部１２の先端側に接続させて前記ハンドル部１１に形成した略四角筒状の係合中空部１３と、該係合中空部１３に挿脱自在に係合する略四角柱状のシャープナ係合部２１と、該シャープナ係合部２１が延設された両側の側面と基端面とを前記ハンドル部１１から露出させたシャープナ本体部２２と、該シャープナ本体部２２の巾方向に平行させて刻設した２つの凹溝２３．２３と、該片側の凹溝２３の前後に任意の設定刃角度に夫々傾斜させてＶ字状に装着した夫々の平板状の粗研磨砥石２４ａと、該他側の凹溝２３の前後に任意の設定刃角度に夫々傾斜させてＶ字状に装着した夫々の平板状の仕上げ研磨砥石２４ｂとを備え、少なくとも片方の前記砥粗研磨砥石２４ａと少なくとも片方の前記仕上げ研磨砥石２４ｂの裏側に夫々ラバークッション２５を積層させたことを特徴とするものである。
【実施例】
【００１１】
即ち、本考案の包丁１は、長手方向の一辺に食材等を切断するための鋭角にした刃先を設けた包丁刃体と、その包丁刃体の基部に平板状に刃体基部を一体に延設させて、刃体基部をハンドル部１１の先端側に挿通固定しているもので、ハンドル部１１は断面長円状のもので把持し易い形状に形成されており、基端側には後述するシャープナの収納部を形成しているものである。
【００１２】
そして、切欠凹部１２は、図１に図示するように、ハンドル部１１の基端辺に両側側面を略コ字状に形成すると共に、基端面も開口させて後述するシャープナ本体部２２を収納するためのスペースを形成しているものである。
【００１３】
次に、係合中空部１３は、切欠凹部１２の先端側に接続させてハンドル部１１に形成した略四角筒状の中空のもので、後述するシャープナ係合部２１を収納すると共に収納状態で係止させるものであり、その係止手段は各種考慮されるが、挿脱できる構造なら構わないものである。
【００１４】
次いで、シャープナ係合部２１は、略四角柱状のものでハンドル部１１に形成した係合中空部１３に挿脱自在に係合するものであり、係合中空部１３との係合は容易に抜落しない手段で有れば構わないものである。
【００１５】
更に、シャープナ本体部２２は、図１に図示するように、シャープナ係合部２１が延設され一体としたシャープナと成るものであり、シャープナ本体部２２の両側の側面と基端面とをハンドル部１１の両側は側面と基端面とから露出させた面一状態として埋設するもので、シャープナ本体部２２の両側の側面には引き抜く時に指との引っ掛かりを良くするために着脱用の指掛け部を形成しているものである。
【００１６】
更には、凹溝２３は、シャープナ本体部２２の上面の巾方向に刻設しているものであり、後述する砥石２４を装着させるものであるが、その両端部は水が溜水しないように傾斜面を形成しているものである。
【００１７】
加えて、夫々の砥石２４は、凹溝２３の前後に任意の設定刃角度に夫々傾斜させてＶ字状に装着する平板状のもので、砥ぐ時に安定させるために片方を巾方向の中央に一枚として、他方をその両側に位置するように二枚装着させているものである。
【００１８】
そして、ラバークッション２５は、柔軟性、弾力性を有するラバーで少なくとも片方の砥石２４の裏側にを積層させているものであるが、双方の砥石２４の裏面に積層させても構わないものである。
【００１９】
つまり、本考案のシャープナ付き包丁は、砥ぎが必要となった時、ハンドル部１１の基端辺に収納されているシャープナを引き抜き、シャープナ係合部２１を指で押さえて、Ｖ字状に装着された砥石２４の間に包丁１の刃体を挿通させて前後に摺動させることにより鋭利な切れ味を取り戻すものであり、終了後は再び収納させておくものである。
【００２０】
更には、次実施例においては、２つの凹溝２３の片方に粗研磨砥石２４と他方に仕上げ研磨砥石２４とを備えたもので、粗研磨を施しその後に仕上げ研磨を施すもので、他の構成は実施例と同様なので詳述は省略するものである。
【産業上の利用可能性】
【００２１】
本考案は、包丁刃体の材質が好適に研ぐことのできるシャープナが、ハンドル部にシャープナを引き抜くための着脱用の指掛け部を露出させて埋設されているために、必要に応じて直ぐに砥ぐことが可能であり、更に、シャープナ本体部の巾方向に刻設した凹溝と、凹溝の前後に任意の設定刃角度に夫々傾斜させてＶ字状に装着した夫々の砥石とを備えているので、シャープナ係合部を持って凹溝に刃先を挿通させて前後に摺動させるだけで設定刃角度で砥ぐことができ、更には、少なくとも片方の砥石、又は、砥粗研磨砥石又は仕上げ研磨砥石の裏側にラバークッションを積層させているもので、砥ぐ時に加える負荷や角度のアンバランスをラバークッションが吸収してくれるので、熟練する必要が無く、誰でも容易に設定した刃角度の範囲で刃体の刃先部の砥ぎを可能とするシャープナ付き包丁を提供するものである。
【図面の簡単な説明】
【００２２】
【図１】図１は本考案のシャープナ付き包丁の実施例の側面図である。
【図２】図２は本考案のシャープナ付き包丁の実施例のシャープナの斜視図である。
【図３】図３は本考案のシャープナ付き包丁の次実施例の側面図である。
【符号の説明】
【００２３】
１      包丁
１１    ハンドル部
１２    切欠凹部
１３    係合中空部
２      シャープナ
２１    シャープナ係合部
２２    シャープナ本体部
２３    凹溝
２４    砥石
２４ａ  砥粗研磨砥石
２４ｂ  仕上げ研磨砥石
２５    ラバークッション
【図１】
0003175209.tif 000003
【図２】
0003175209.tif 000004
【図３】
0003175209.tif 000005